(57)【特許請求の範囲】
【請求項１】
布片で覆われた人の身体部位を保護するためにその人によって着用される保護器具において、
前記人の身体部位に配置され、前記布片で覆われ又は前記布片を覆うほぼ凸形状のシールド部材と、
前記シールド部材との間の前記布片を挾持するように、前記布片を介して前記シールド部材に対向して配置されるロック部材と、
前記シールド部材と前記ロック部材を互いに固定し、それらの間に前記布片を挾持する固定手段とからなり、
前記シールド部材は、反対側にある２つの支持部と、該支持部に一体に接続された中央湾曲部とを含み、
前記支持部は、該支持部が前記人の身体部位に隣接する身体表面部と対向接触して配置されるような形状を有し、
前記中央湾曲部は、前記支持部が前記身体表面部と対向接触して配置されると、前記身体部位に接触することなく前記人の身体部位を覆うように、前記２つの支持部を橋渡ししている保護器具。
【請求項２】
前記シールド部材は、ほぼ楕円形状の外周縁を形成している請求項１に記載の保護器具。
【請求項３】
前記支持部は、前記外周縁に設けられたほぼ平坦な支持部材を構成している請求項２に記載の保護器具。
【請求項４】
前記支持部は、前記外周縁に設けられた外周フランジ部を構成している請求項３に記載の保護器具。
【請求項５】
前記シールド部材の前記中央湾曲部は、開口部が設けられた連続した面部材で構成されている請求項１から４のいずれかに記載の保護器具。
【請求項６】
前記中央湾曲部は、ほぼ凸形状の部材によって形成されている請求項５に記載の保護器具。
【請求項７】
前記固定手段は、前記シールド部材及び前記ロック部材に設けられた協働するオス，メスロック手段によって構成されている請求項１から６のいずれかに記載の保護器具。
【請求項８】
前記オス，メスロック手段は、前記ロック部材のフランジ部と、前記シールド部材の開口部とによってそれぞれ構成されている請求項７に記載の保護器具。
【請求項９】
前記オス，メスロック手段は、前記ロック部材の開口部と、前記シールド部材のフランジ部とによってそれぞれ構成されている請求項７に記載の保護器具。
【請求項１０】
前記ロック部材は、フレキシブルな材料からなるバーによって構成されている請求項１から９のいずれかに記載の保護器具。
【請求項１１】
前記ロック部材は、前記ほぼ凸形状のシールド部材と相補するほぼ凸形状の部材によって構成されている請求項６から９のいずれかに記載の保護器具。
【請求項１２】
前記シールド部材は、フレキシブルな材料から作られている請求項11に記載の保護器具。
【発明の詳細な説明】
本発明は人を身体の傷害から保護する技術分野、さらに詳しくは、人の身体の特定の部位を機械的衝撃による傷害から保護する技術分野に関する。さらに、本発明は身体の特定の部位を保護するために人によって着用される保護器具に関する。
非常に多くの数の股関節部骨折が毎年記録されている。股関節部骨折は、老人や、骨粗しょう症等の脆弱骨やアルツハイマー病等の神経性障害を被った人、人の骨の脆弱化を引き起こしたり、さらに多くの場合人を混乱させたり、滑ったり、落ちたり、あるいは股関節部骨折のような骨折を起こす機械的な激しい衝撃にさらされたりしやすくするような長期にわたる投薬によって引き起こされた脆弱骨を有する人にとって特に一般的である。多くの保護器具が、特に人の股関節を保護するために開発されてきた。上記の形式の保護器具を開示する従来例のうち、米国特許第3044075号、米国特許第4641641号、米国特許第4926883号、及び米国特許第5062433号を参照する。これらはさらにここで参照事項として本願明細書に組み入れられている。
保護器具は、その保護器具を着用した人に保護を与えるが、一方ではその保護器具が着用されている間にしばしば激しい不快感を引き起こし、他方では股関節に対して正しい位置に適用し維持することが極めて困難である。股関節保護に使用される多くの保護器具は、人の皮膚の表面に対して粘着固定手段によって固定され、あるいはベルト又は類似の固定部材によって固定されるようになっている。さらに他の公知の保護器具は、人によって着用される一対のアンダーパンツのポケットの中に受け入れられるようになっている。しかしながら、このアンダーパンツのポケットの中に受け入れられる保護器具の正しい位置決めは、アンダーパンツを着用する人の解剖学的構造（anatomy）と、アンダーパンツの設計の意図的な解剖学的構造（intentional anatomy）との間の調和に完全に依存する。
本発明の目的は、それを着用する人によってその人の特定の部位に対して容易に位置決めされ固定される保護器具を提供することにある。
本発明の特有の利点は、本発明による保護器具は粘着テープ、ベルト、保護器具を受け入れるためのポケットを含む別個のサポート布等の固定手段を追加する必要なくして適用され着用されるという事実に関係している。
本発明の特有の特徴は、人体の特有の部位を保護するために使用される保護器具は本発明の教えにより最小の数の部材からなり、それはその人又はその人を看護する人によってその人の普通の衣服を利用して該当する人体の部位に対して容易に固定されるという事実に関係している。
上記目的、利点、及び特徴は、以下の本発明の詳細な説明から明らかである他の多くの目的、利点、及び特徴とともに、本発明の教えに従って、本発明による保護器具によって得られる。本発明による保護器具は、布片で覆われた人の身体部位を保護するためにその人によって着用される保護器具において、
前記人の身体部位に配置され、前記布片で覆われ又は前記布片を覆うほぼ凸形状のシールド部材と、
前記シールド部材と前記ロック部材の間の前記布片を挾持するように、前記布片を介して前記シールド部材に対向して配置されるロック部材と、
前記シールド部材と前記ロック部材を互いに固定し、それらの間に前記布片を挾持する固定手段とからなり、
前記シールド部材は、反対側にある２つの支持部と、該支持部に一体に接続された中央湾曲部とを含み、
前記支持部は、該支持部が前記人の身体部位に隣接する身体表面部と対向接触して配置されるような形状を有し、
前記中央湾曲部は、前記支持部が前記身体表面部と対向接触して配置されると、前記身体部位に接触することなく前記人の身体部位を覆うように、前記２つの支持部を橋渡ししている。
本発明の教えによると、２つの部材からなる保護器具が提供され、それはシールド部材とロック部材からなり、それらは、人の布片をシールド部材とロック部材の間に挾持して、それにより保護器具を着用する人の特定の部位に対して２部材からなる保護器具を正確かつ適性に位置決めし固定する固定手段によってお互いに対して簡単に固定される。本発明による保護器具は、肘、肩、背中、胸、股関節、臀部、膝、脛、あるいは他の部位のような身体の特定の部位を保護するために必要な特定の解剖学的構造に従って実行されてもよい。本発明による保護器具は、本発明の教えに従い、該当する身体部位を覆う布片を保護器具のシールド部材とロック部材の間に単に挾持することによって、意図する適用部位に対して固定される。本発明による保護器具は、いわゆる床ずれ（bed sores）又は床きず（bed wounds）に対する保護を含む、当該保護器具を着用する人の機械的な保護に関して特に適用される。以下の説明においては、股関節の保護に特に向けられているが、本発明は決して股関節を保護する技術分野に限定されるものではない。保護器具の特定の適用に依存して、保護器具の全体形状は、もちろん、解剖学的構造の要求、及び特に該当する身体部位に適合されなければならない。
シールド部材は、保護器具の現在好ましい実施形態によると、ほぼ楕円形状の外周縁を形成してもよい。代案として、シールド部材は、保護器具の意図された適用部分に対応する形状、例えば保護器具によって保護される身体部位の解剖学的形状を有する外周縁を形成してもよい。保護される身体部位が人の股関節の骨又は股関節であるとすると、シールド部材は好ましくは、前述したように、ほぼ平坦な縁面を形成する全体的に楕円形状を有する。
シールド部材の支持部は、好ましくは、保護器具によって保護される身体部位に対して中央湾曲部の全体的な支持を与えるように配置され、そして好ましくはさらに要求される解剖的形状、特に保護器具によって保護される身体部位に隣接する身体の表面部位に対応する形状を有する。保護器具が股関節部の骨又は股関節を保護するために使用されるように意図されているとすると、支持部は好ましくは外周縁に設けられたほぼ平坦な支持部を構成し、そしてさらに好ましくは外周縁に設けられた外周フランジ部を構成し、その外周縁はさらに、前述したように、好ましくはほぼ楕円形状を有する。
保護器具の意図的な適用に依存して、保護器具の基本的な保護部材を構成するシールド部材の中央湾曲部は、該当する身体部位の意図的なカバーを与える形状に設けられる。中央湾曲部は、このように、適当ではあるが、特定の保護適用要求を満たす解剖学的に定められたいかなる形状にも設けられてもよい。股関節の保護に関して、シールド部材の中央湾曲部は、本発明による保護器具の現在好ましい実施形態に従って、連続した面部材によって構成され、その面部材はさらに好ましくはほぼ凸形状を有する。この連続した面部材は、保護器具によって覆われる身体部位の皮膚の適切な通気を与えるために、好ましくは開口部が設けられる。シールド部材の中央湾曲部は、代案として、複数の湾曲した又は直線状のバー部材から構成され設けられてもよく、例えばメッシュ状の相互に接続されたバー部材を提供してもよく、それらのバー部材はシールド部材の支持部に接続される。
シールド部材とロック部材を身体部位に対して意図的な位置に互いに固定し、該当する人によって着用される布片を挾持する固定手段は、ボルト・ナット、バヨネットロック手段、スナップファスナー手段等のような分離した固定手段によって構成されてもよい。本発明の保護器具の現在好ましい実施形態によれば、保護器具の意図的な適用、すなわち、保護器具によって保護される関係身体部位にかかわりなく、固定手段はシールド部材及び／又はロック部材と一体の部材を構成するのが好ましく、さらにシールド部材とロック部材に設けられるオス，メスロック手段を構成するのが好ましい。
本発明による保護器具のさらなる２つの代案の実施形態によると、オス，メスロック手段は、ロック部材のフランジ部とシールド部材の開口部とによってそれぞれ構成され、あるいは代案として、ロック部材の開口部とシールド部材のフランジ部とによってそれぞれ構成される。ロック部材は、本発明による保護器具のさらなる実施形態に従って、プラスチック材料のようなフレキシブル材料からなるバーによって構成された分離したロック部材を構成してもよく、そのロック部材はさらに、前記実施形態に従い、オス又はメスのロック手段を備えている。
シールド部材がほぼ凸形状の中央湾曲部からなるとすると、ロック部材もまた、シールド部材のほぼ凸形状に相補するほぼ凸形状の部材を構成するのが好ましい。したがって、ロック部材は、人によって着用される布の外側又は内側に配置されるシールド部材に対する内側部材又は外側部材を構成してもよい。
シールド部材により保護器具を着用する人に傷害が引き起こされるのを防止するために、シールド部材は、フレキシブル材料から作られるのが好ましく、これにより、シールド部材が例えば落下による強打や殴打のような機械的衝撃にされられる場合に、シールド部材によって覆われて保護される身体部位に隣接する身体表面部位に対する機械的衝撃を減少するために、シールド部材のフレキシブル性が減少される。
以下、次の図面を参照して、本発明をさらに詳細に説明する。
図１は、股関節部の骨又は股関節のプロテクタを構成するシールド部材とロック部材からなる本発明による保護器具の第１の好ましい実施形態の上面から見た概略斜視図である。
図２は、図１に示す保護器具の第１の実施形態の底面から見た概略斜視図である。
図３−５は、図１及び図２に示す保護器具の第１の実施形態を適用する方法を示す概略斜視図である。
図６は、図１及び図２に示す第１の実施形態のロック部材の修正された実施形態の概略斜視図である。
図７は、シールド部材とロック部材からなる本発明による保護器具の第２の実施形態の上面から見た図１と類似した概略斜視図である。
図８は、図７に示す保護器具の第２の実施形態のシールド部材の底面から見た図２と類似した概略斜視図である。
図９は、脛骨プロテクタを構成する本発明による保護器具の第３の実施形態である。
図１及び図２には、本発明による保護器具の第１の現在好ましい実施形態が示され、これはそれを着用する人の股関節部の骨又は股関節を保護するために使用される保護器具を構成している。以下の説明では、図１及び図２に示す第１の実施形態は股関節プロテクタとして言及され、全体で参照番号10が指定されている。
股関節プロテクタ10は、基本的に２つの部分、すなわち本発明のシールド部材である第１殻部又は外殻部12と、本発明のロック部材である第２殻部又は内殻部24とからなっている。第１殻部又は外殻部12は一体の部品又は部材を構成しており、それは耐久性がありかつ好ましくはかなり剛性のあるプラスチック材料又はその類似材料、例えば、PE（ポリエチレン）、ABS（アクリロニトリル・ブタジエン・スチレン）、PP（ポリプロピレン）、PC（ポリカーボネート）のような熱可塑性又は熱硬化性の材料、ガラス繊維、ガラス繊維強化プラスチック材料、炭素繊維強化プラスチック材料及びそれらの組み合わせを含む合成材料、あるいはその代わりにアルミニウム又はその類似材料で形成されている。外殻部12は鋳造、成型、切断、プレス成形、又はこれらの組み合わせによって製造されてもよい。
第１殻部又は外殻部12は基本的にドーム形構造を構成し、股関節プロテクタを着用する人の身体に載るように配置された外周縁14を有している。外周縁14の内側には、その保護器具又は股関節プロテクタ10の中央のシールドカバー又は保護カバーを構成するドーム形カバー16が設けられている。ドーム形カバー16は、快適さのために、複数の開口部が設けられ、これらのうちの１つが参照番号18で指定され、これらの開口部18はドーム形カバー16の内側に形成される空間を通気するために設けられ、その結果、股関節プロテクタの内部空間を通気することによってその股関節プロテクタ10を着用することの皮膚加熱効果を減少させる。
通気口を構成する開口部18から離れて、２つの追加の開口部20と22が設けられ、それぞれ第１、第２の固定開口部を構成している。第１及び第２の固定開口部20と22は、図３−５を参照して以下に詳細に説明するように、第２殻部又は内殻部24の第１及び第２の固定フランジ30と32によって構成される相固定フランジと協働する本発明の固定手段となっている。
第２殻部又は内殻部24は、一体の部品又は部材を構成しており、それは耐久性がありかつ好ましくはかなり剛性のあるプラスチック材料又はその類似材料、例えば、PE（ポリエチレン）、ABS（アクリロニトリル・ブタジエン・スチレン）、PP（ポリプロピレン）、PC（ポリカーボネート）のような熱可塑性又は熱硬化性の材料、ガラス繊維、ガラス繊維強化プラスチック材料、炭素繊維強化プラスチック材料及びそれらの組み合わせを含む合成材料、あるいはその代わりアルミニウム又はその類似材料で形成されている。第２殻部又は内殻部24は鋳造、成型、切断、プレス成形、又はこれらの組み合わせによって製造されてもよい。
第２殻部又は内殻部24は、基本的に楕円形状を有し、中央内殻26からなり、その中央内殻26は、第１殻部又は外殻部12のドーム形カバー16の凸形状と互いに補足し合うような全体的に凸形状を有している。
第２殻部又は内殻部24は、弾性材料から形成されるのが好ましく、これにより、図３−５を参照して以下に詳細に説明するように、両殻部12と24を互いに固定するために、固定フランジ30と32が第１殻部又は外殻部12のそれぞれ第１と第２の固定開口部20と22の内側に受け入れられるように、当該固定フランジ30と32が第２殻部又は内殻部24の内殻26に沿って僅かに変形されることが許容される。第１固定フランジ30及び第２固定フランジ32は、第２殻部又は内殻部24の全長を定めており、その長さは固定開口部20と22によって定められる最大距離よりも実質的に長い。
第１殻部又は外殻部12と同様に、第２殻部又は内殻部24は、複数の開口部が設けられ、これらのうちの１つが参照番号28で指定され、それらは、図３−５を参照して以下に詳細に説明するように、第２殻部又は内殻部24が第１殻部又は外殻部12の内側に受け入れられて当該第１殻部又は外殻部12に対して固定されれば、当該第１殻部又は外殻部12の開口部18に３つづ重なって配置されるように設けられている。
図１では、股関節プロテクタ10は上側又は外側から示されているが、図２では、その股関節プロテクタ10は下側又は内側から示されている。これにより、図１では、第１殻部12及び第２殻部24の外表面がそれぞれ現れており、それらの外表面は股関節プロテクタ10を着用する人の身体から外方に向いているが、図２では、第１殻部12及び第２殻部24の内表面がそれぞれ示されており、それらの内表面は股関節プロテクタ10を着用する人の身体に向いている。
股関節プロテクタ10は、老人のような人の股関節部の骨又は股関節を保護するために使用される。図３では、参照番号40で指定された人が示され、その人40は全体的に参照番号42で指定される右手を有している。その人40はさらに一対のアンダーパンツ44を着用している。股関節プロテクタ10は、図４に極めて簡単にかつ上品に示され参照番号46で指定された股関節部の骨に対し、その股関節部の骨46に対して正しい位置に股関節プロテクタ10を支持するためのサポートとしてのアンダーパンツ44を使用して、適用され固定される。まず、図３に示すように、人40がその手42を使って第２殻部又は内殻部24をアンダーパンツ44の下に押し込み、当該第２殻部又は内殻部24を股関節部の骨46に対して適正な位置に位置決めすると、当該第２殻部又は内殻部24はアンダーパンツ44の下に導入される。そのあとすぐに、図４に示すように、アンダーパンツ44の外側から第１殻部又は外殻部12を適用することによって、股関節プロテクタ10の主要な保護部材を構成する第１殻部又は外殻部12が第２殻部又は内殻部24に対して簡単に固定される。
図４では、アンダーパンツ44の繊維が第２固定フランジ32の回りで引っ張られて、第２固定フランジ32が第１殻部又は外殻部12の第２固定開口部22の内側に受け入れられている。そのあとすぐに、股関節プロテクタ10を着用する人40が第１殻部又は外殻部12を図４に示す位置から持ち上げることにより、第１固定フランジ30が第１殻部又は外殻部12の第１固定開口部20の内側にスナップ嵌合されて、アンダーパンツ44の繊維が第１固定フランジ30の回りで引っ張られ、アンダーパンツ44の繊維が図５に示すように第１殻部12と第２殻部24の間に挾持されて、第１殻部12及び第２殻部24がその人の股関節部の骨46に対してそれぞれ固定され拘束される。図５は、股関節プロテクタの第２殻部又は内殻部24の第１固定フランジ30及び第２固定フランジ32に対する外殻部12の拘束をごく詳細に示している。
図６では、本発明のシールド部材である第２殻部又は内殻部24の僅かに修正された実施形態が示され、それは、２つのギザギザ（burr）の固定テープ48が設けられている点において、図１及び図２に示す前述の実施形態と異なっている。そのギザギザのテープ48は、第２殻部及び内殻部24をアンダーパンツ44の内側に対して一時的に固定する目的に利用できる。さらに、ギザギザのテープ48は、第１殻部12と第２殻部24を図３−５を参照して前述したように組み合わせた後、ギザギザのテープ48により第２殻部又は内殻部24がアンダーパンツ44の繊維の内側に対して固定されるので、組み合わされた股関節プロテクタ10の全体の固定を向上するのに役立つ。
図７と図８では、股関節プロテクタを構成する保護器具の第２の又は代案の実施形態が示され、その第２実施形態はその全体が参照番号50で指定され、股関節プロテクタ50の内部及び外部の全体的な機能、すなわちシールド部材とロック部材が基本的に逆になっているという点において前述の第１実施形態とは異なる実施形態を構成している。すなわち、股関節プロテクタ50は、本発明のシールド部材である内殻部52からなり、該内殻部52は、ある形状を有し、図１−５を参照して前述した股関節プロテクタ10の第１殻部又は外殻部12と同じ基本保護目的を満たしているという点で、前述の内殻部24と異なっている。内殻部52は内部ドーム形カバー56を定める外周縁54からなり、ドーム形カバー56は、前述の股関節プロテクタ10の外殻部12のドーム形カバー16のように、開口部が備えられ、そのうちの１つが参照番号58で指定されている。
しかしながら、内殻部52は、前述の股関節プロテクタ10の第２殻部又は内殻部24の第１固定フランジ30と第２固定フランジ32と同じ目的を果たす第１固定フランジ60と第２固定フランジ62を備えているという点において、前述の股関節プロテクタ10の外殻部12と異なっている。内殻部52はさらに、外周縁54の下側又は内側の表面が股関節プロテクタ50を着用する人の皮膚の面に対して内殻部52を柔らかくかつ肌に優しく固定するという全体的な目的にかなうクッション72を構成する層で覆われているという点で、前述の股関節プロテクタ10の外殻部12と異なっている。クッション72は、内殻部52の内側を表す図８に開示されている。股関節プロテクタ50はさらに、本発明のロック部材であるロック部材64からなり、該ロック部材64は基本的に細長いバー部材66からなり、該バー部材66は両端にそれぞれ形成された第１固定開口部68と第２固定開口部70を備えている。この第１固定開口部68と第２固定開口部70は、内殻部52の第１固定フランジ60と第２固定フランジ62とともに本発明の固定手段を構成する。
股関節プロテクタ50は、基本的に、図３−５を参照して前述された股関節プロテクタ10と同じ方法で使用される。内殻部52が股関節プロテクタを着用する人のアンダーパンツの下に導入され、その人の股関節の骨又は股関節に対して正しく位置決めされる。そのあとすぐに、フランジ部60,62と開口部68,70の間、及びドーム形カバー56の外側表面とバー部材66の内側との間で、アンダーパンツの繊維を押し込んで挾持し、バー部材66の固定開口部68と70がそれぞれ固定フランジ60と62に受け入れられるようにすると、固定部材64が内殻部52に対して固定される。前述した股関節プロテクタ10の実施形態のように、第２実施形態は、例えばバー部材66の内側表面に、ギザギザの固定テープ又は類似の固定部材を設けることによって修正されてもよい。さらに、第２実施形態は、内殻部52の固定フランジ60と62を固定開口部で代用することによって、また、バー部材66の内側表面に外方に突出するフランジ部材を設けることによって修正されてもよい。代案として、バー部材66の外周縁が、前述の修正実施形態の内殻部52のフランジ部材と協働するフランジ部材を構成してもよい。
股関節プロテクタを構成する保護器具の前述の適用において、保護器具は該保護器具を着用する人の股関節部の骨又は股関節を保護するために使用される。この保護器具は本発明の教えに従って保護器具を着用する人の身体の他の部位を保護するのに使用されてもよい。本発明の教えの他の適用では、保護器具は、当該保護器具を着用する人の例えば肘、肩、臀部、膝、又は脛を保護するために設けられる。
図９では、人の脛74が示され、その脛74はソックス76で覆われている。その人の脛74を保護するために、本発明の教えに従って実行された脛プロテクタ78が設けられ、該脛プロテクタ78は図１と図２を参照して前述した股関節プロテクタ10の第１殻部又は外殻部12と類似する本発明のシールド部材である外殻部80からなっている。しかしながら、外殻部80は、該外殻部80が全体的な形状（overall configuration）を有していて、それにより脛プロテクタ78が人の脛74に位置決めされ支持される点において、前述の股関節プロテクタ10の第１殻部又は外殻部12と異なっている。このように、外殻部80は脛74と一致するように形成された外周縁82を有している。前述の股関節プロテクタ10の第１殻部又は外殻部12のように、外殻部80は外周縁82の内側に中央ドーム形カバー84を形成し、さらにそれぞれ参照番号86と88で指定された第１固定開口部と第２固定開口部とを備えている。前述の股関節プロテクタ10の第２殻部又は内殻部24に類似する本発明のロック部材である内殻部（不図示）がさらに設けられ、該内殻部は、前述の股関節プロテクタ10の第２殻部又は内殻部24に対する第１殻部又は外殻部12の固定に類似した方法で、外殻部80の第１固定開口部86及び第２固定開口部88とそれぞれ協働して本発明の固定手段を構成する第１固定フランジ90及び第２固定フランジ92からなっている。
実施例１
図１及び図２に示す股関節プロテクタ10の第１の現在好ましい実施形態のプロトタイプの器具が以下の部材から作られた。
外殻部12は、CNCカッターで切断することによってPC（ポリカーボネート）から作られ、全長160mm、全幅110mm、高さ37mmに形成された。外周縁14は、幅16mmで、湾曲した下側表面に形成され、平坦な支持面の上方のほぼ楕円形状の頂点における高さが9mmに与えられた。ドーム形カバー16は、図１及び図２に示す形状の合計８個の開口部18と２つの固定開口部20及び22を含んでいた。
内殻部24は、CNCカッターで切断することによってPC（ポリカーボネート）から作られ、全長129mm、全幅74mm、高さ15mmに形成された。内殻部24は、平坦な支持面の上方のほぼ楕円形状の頂点における高さが5mmに形成された。固定フランジ30,32の各々は幅15mm、長さ12mmに形成された。
実施例２
股関節部の骨又は股関節の保護の目的のために、図１及び図２に示す股関節プロテクタ10の外殻部12及び内殻部24は、以下の寸法要求を満たすものと思われる。外殻部12の全長は10cmと30cmの間好ましくは15cmと17cmの間で変化してもよく、外殻部12の全幅は7cmと18cmの間好ましくは10cmと12cmとの間で変化してもよく、外殻部12のドームの全高は2.5cmと7cmの間好ましくは3cmと4cmの間で変化してもよい。同様に、内殻部24の全長は6cmと26cmの間好ましくは11.5cmと13.5cmの間で変化してもよく、内殻部24の全幅5cmと10cmの間好ましくは6cmと8cmとの間で変化してもよく、内殻部24のドームの全高は1cmと4cmの間好ましくは2cmと3cmの間で変化してもよい。外殻部12と内殻部24の実際の寸法は、それぞれ解剖学的構造、及び特に股関節部の骨又は股関節のプロテクタを着用する人のサイズによって決定される。外殻部12及び内殻部24は、それぞれ、耐久性がありかつ好ましくはかなり剛性のあるプラスチック材料又はその類似材料、例えば、PE（ポリエチレン）、ABS（アクリロニトリル・ブタジエン。スチレン）、PP（ポリプロピレン）、PC（ポリカーボネート）のような熱可塑性又は熱硬化性の材料、ガラス繊維、ガラス繊維強化プラスチック材料、炭素繊維強化プラスチック材料及びそれらの組み合わせを含む合成材料、あるいはその代わりアルミニウム又はその類似材料で形成されてもよい。外殻部12及び内殻部24は、鋳造、成型、切断、プレス成形、又はこれらの組み合わせによって製造されてもよい。
本発明は、股関節プロテクタ及び脛プロテクタとして使用される保護器具の特定の現在好ましい実施形態を参照して説明したが、本発明は前述の実施形態に限定されるものと決して考慮されてはならない。したがって、前述の実施形態は本発明の範囲及び精神から逸脱することなく、多くの方法で修正され補正されてもよい。このように、本発明の範囲は添付の請求に範囲によって規定されるものと考慮されるべきである。
【図１】
0003618102.tif 000002
【図６】
0003618102.tif 000003
【図２】
0003618102.tif 000004
【図３】
0003618102.tif 000005
【図８】
0003618102.tif 000006
【図４】
0003618102.tif 000007
【図５】
0003618102.tif 000008
【図７】
0003618102.tif 000009
【図９】
0003618102.tif 000010